(57)【要約】      （修正有）【課題】デシカントロータの目詰まり状態を正確に検知することができるデシカントロータの目詰まり検知装置を提供する。【解決手段】供給空気が流れる供給側流路部と戻り空気が流れる戻り側流路部とに跨がって配設されたデシカントロータ８における目詰まりを検知する目詰まり検知装置であって、吸湿域Ｋ２の上流側に第１温度検知手段６０が配設され、下流側に第２温度検知手段６２が配設され、また再生域Ｓ２の上流側に第３温度検知手段６４が配設されている。流出側空気温度演算手段は、第１及び第３温度検知手段６０，６４の検知温度に基づいて第２デシカントロータ８の吸湿部３０の流出側空気の温度を演算し、目詰まり判定手段は、流出側空気温度演算手段により演算された流出側空気温度（理論温度値）と第２温度検知手段６２の検知温度に基づいてデシカントロータの目詰まりを判定する。【選択図】図１
2015068529.tif 000002
【特許請求の範囲】
【請求項１】
供給空気が流れる供給側流路部と戻り空気が流れる戻り側流路部とに跨がって配設されたデシカントロータにおける目詰まりを検知する目詰まり検知装置であって、
前記供給側流路部の供給空気の流れ方向に見て吸湿域の上流側に配設された第１温度検知手段と、前記吸湿域の下流側に配設された第２温度検知手段と、前記戻り側流路部の戻り空気の流れ方向に見て再生域の上流側に配設された第３温度検知手段と、前記第１及び第３温度検知手段の検知温度に基づいて前記吸湿域の流出側空気の温度を演算する流出側空気温度演算手段と、前記流出側空気温度演算手段により演算された流出側空気温度と前記第２温度検知手段の検知温度に基づいて前記デシカントロータの目詰まりを判定する目詰まり判定手段と、を備えたことを特徴とするデシカントロータの目詰まり検知装置。
【請求項２】
前記流出側空気温度演算手段は、前記第１及び第３温度検知手段の検知温度並びに前記デシカントロータの熱交換効率に基づいて流出側空気の温度を演算し、前記目詰まり判定手段は、前記流出側空気温度演算手段により演算された流出側空気温度が目詰まり判定温度以下になると目詰まり発生と判定することを特徴とする請求項１に記載のデシカントロータの目詰まり検知装置。
【請求項３】
前記デシカントロータは、外部の空気を空調対象空間に導くための吸入流路及び空調対象空間からの空気を外部に導くための排出流路を備えた空気調和装置に用いられ、前記供給側流路部は前記吸入流路の一部により構成され、前記戻り側流路部は前記排出流路の一部により構成され、前記吸入流路の上流側部とその下流側部とに跨がって他のデシカントロータが配設され、前記他のデシカントロータの吸湿部を通過した空気が前記供給側流路部を通して前記吸湿域に流れ、空調対象空間からの空気が前記流出流路を通して前記再生域に流れることを特徴とする請求項１又は２に記載のデシカントロータの目詰まり検知装置。
【発明の詳細な説明】
【技術分野】
【０００１】
本発明は、デシカントロータの目詰まりを検知するための目詰まり検知装置に関する。
【背景技術】
【０００２】
空調装置として二つのデシカントロータを用いたものが提案されている（例えば、特許文献１参照）。この空調装置においては、装置ハウジング内に外部からの空気を空調対象空間（例えば、室内空間）に導くための吸入流路及び空調対象空間からの空気を外部に導くための排出流路が設けられ、吸入流路の上流側部に第１吸湿域が設けられ、この吸入流路の下流側部に第１再生域が設けられ、一方のデシカントロータ（第１デシカントロータ）は第１吸湿域及び第１再生域の間に跨がって配設されている。また、吸入流路における第１吸湿域の下流側に第２吸湿域が設けられ、排出流路に第２再生域が設けられ、他方のデシカントロータ（第２デシカントロータ）は第２吸湿域及び第２再生域の間に跨がって配設されている。
【０００３】
この空調装置においては、外部からの空気が吸入流路（第１吸湿域、第２吸湿域及び第１再生域）を通して空調対象空間に流れ、かく流れる間に、この空気中の水分が第１吸湿域において第１デシカントロータの吸湿材に吸湿され、吸湿されることにより温度上昇した空気が第１熱交換器により冷却された後に第２吸湿域に送給される。この第２吸湿域においては、冷却された空気中の水分が第２吸湿域において第２デシカントロータの吸湿材に吸湿され、過剰に吸湿されて温度上昇した空気が第２熱交換器により冷却された後に第１再生域に送給される。第１再生域においては、過剰に吸湿された空気が第１デシカントロータの吸湿材に吸湿された水分を奪い取って吸湿材の再生が行われ、水分の脱着に伴う気化熱により冷却された空気が空調対象空間に排出され、この冷却された空気により冷房を行うことができる。
【０００４】
また、空調対象空間（室内空間）からの空気が排出流路（第２再生域）を通して外部に排出され、かく流れる間に、第２熱交換器により加温された空気が第２再生域において第２デシカントロータの吸湿材に吸湿された水分を奪い取って吸湿材の再生が行われ、水分の脱着に伴う気化熱により冷却された空気が外部に排出される。
【先行技術文献】
【特許文献】
【０００５】
【特許文献１】特開２００８−５７９５３号公報
【発明の概要】
【発明が解決しようとする課題】
【０００６】
このような空調装置においては、次の通りの解決すべき問題がある。外気からの空気は吸入流路を通して空調対象空間に流れ、かく流れる際に、第１デシカントロータを通過した小さな塵、埃などが第２デシカントロータのロータ部（即ち、空気が通流する部分）に付着し、長期にわたって使用するとこのロータ部に目詰まりが発生するおそれがある。このロータ部に目詰まりが発生すると、第２デシカントロータのロータ部の吸湿性能が低下し、この吸湿低下に起因して、空調装置の冷房能力、冷房効率が低下する。
【０００７】
このようなことから、例えば、空調装置の積算運転時間を利用して第２デシカントロータの目詰まり判定を行うことも考えられる。例えば、空調装置の積算運転時間を計測するための積算タイマを設け、この積算タイマの積算運転時間が設定積算時間に達するとロータ部に目詰まりが発生しているおそれがあるとして目詰まり表示手段（例えば、目詰まり表示ランプ）を作動させる。
【０００８】
しかしながら、積算運転時間を利用して目詰まり状態を判定する場合、空調装置の積算運転時間と第２デシカントロータの目詰まりとの間に密接な関係がなく、第２デシカントロータの目詰まり状態を正確に検知することができないという問題がある。
【０００９】
本発明の目的は、デシカントロータの目詰まり状態を正確に検知することができるデシカントロータの目詰まり検知装置を提供することである。
【課題を解決するための手段】
【００１０】
本発明の請求項１に記載のデシカントロータの目詰まり検知装置は、供給空気が流れる供給側流路部と戻り空気が流れる戻り側流路部とに跨がって配設されたデシカントロータにおける目詰まりを検知する目詰まり検知装置であって、
前記供給側流路部の供給空気の流れ方向に見て吸湿域の上流側に配設された第１温度検知手段と、前記吸湿域の下流側に配設された第２温度検知手段と、前記戻り側流路部の戻り空気の流れ方向に見て再生域の上流側に配設された第３温度検知手段と、前記第１及び第３温度検知手段の検知温度に基づいて前記吸湿域の流出側空気の温度を演算する流出側空気温度演算手段と、前記流出側空気温度演算手段により演算された流出側空気温度と前記第２温度検知手段の検知温度に基づいて前記デシカントロータの目詰まりを判定する目詰まり判定手段と、を備えたことを特徴とする。
【００１１】
また、本発明の請求項２に記載のデシカントロータの目詰まり検知装置では、前記流出側空気温度演算手段は、前記第１及び第３温度検知手段の検知温度並びに前記デシカントロータの熱交換効率に基づいて流出側空気の温度を演算し、前記目詰まり判定手段は、前記流出側空気温度演算手段により演算された流出側空気温度が目詰まり判定温度以下になると目詰まり発生と判定することを特徴とする。
【００１２】
更に、本発明の請求項３に記載のデシカントロータの目詰まり検知装置では、前記デシカントロータは、外部の空気を空調対象空間に導くための吸入流路及び空調対象空間からの空気を外部に導くための排出流路を備えた空気調和装置に用いられ、前記供給側流路部は前記吸入流路の一部により構成され、前記戻り側流路部は前記排出流路の一部により構成され、前記吸入流路の上流側部とその下流側部とに跨がって他のデシカントロータが配設され、前記他のデシカントロータの吸湿部を通過した空気が前記供給側流路部を通して前記吸湿域に流れ、空調対象空間からの空気が前記流出流路を通して前記再生域に流れることを特徴とする。
【発明の効果】
【００１３】
本発明の請求項１に記載のデシカントロータの目詰まり検知装置によれば、供給側流路部における吸湿域の上流側に第１温度検知手段が配設され、その吸湿域の下流側に第２温度検知手段が配設され、また戻り側流路部における再生域の上流側に第３温度検知手段が配設され、流出側空気温度演算手段は、第１及び第３温度検知手段の検知温度に基づいて吸湿域の流出側空気の温度を演算する。そして、目詰まり判定手段は、演算した流出側空気温度と第２温度検知手段の検知温度に基づいてデシカントロータの目詰まりを判定するので、その目詰まり状態を正確に判定することができる。デシカントロータに目詰まりが発生すると、デシカントロータの吸湿部における吸湿能力が低下し、この吸湿能力が下がるほど流出側空気の温度上昇が小さくなり、このように、目詰まりによる吸湿能力の低下と流出側空気の温度上昇の度合いとの間に一定の関係があり、この関係を利用することによって、デシカントロータの目詰まり状態を正確に検知することができる。
【００１４】
また、本発明の請求項２に記載のデシカントロータの目詰まり検知装置によれば、流出側空気温度演算手段は、第１及び第３温度検知手段の検知温度並びにデシカントロータの熱交換効率を用いて流出側空気の温度を演算し、目詰まり判定手段は、演算された流出側空気温度が目詰まり判定温度以下になると目詰まり発生と判定するので、第１〜第３温度検知手段の検知温度を利用してデシカントロータの目詰まり状態を正確に判定することができる。
【００１５】
更に、本発明の請求項３に記載のデシカントロータの目詰まり検知装置によれば、供給側流路部は、外部の空気を空調対象空間に導くための吸入流路の一部により構成され、戻り側流路部は排出流路の一部により構成され、吸入流路の上流側部とその下流側部とに跨がって他のデシカントロータが配設され、このような二つのデシカントロータを備えた空調装置におけるデシカントロータの目詰まり検知に好都合に適用することができる。
【図面の簡単な説明】
【００１６】
【図１】本発明に従うデシカントロータの目詰まり検知装置の一実施形態を備えたデシカント空調装置の一例の全体を示す簡略図。
【図２】図１の目詰まり検知装置およびこれに関連する制御系を示すブロック図。
【図３】図１の目詰まり検知装置の目詰まり判定の流れを示すフローチャート。
【発明を実施するための形態】
【００１７】
以下、添付図面を参照して、本発明に従うデシカントロータの目詰まり検知装置を備えたデシカント空調装置の一例について説明する。図１において、図示のデシカント空調装置は、空調対象空間（例えば、室内空間）の天井などに設置される装置ハウジング２を備え、この装置ハウジング２に第１デシカントロータ４、第１顕熱交換器６、第２デシカントロータ８及び第２顕熱交換器１０が内蔵され、この実施形態では、第２デシカントロータ８がデシカントロータとして機能し、第１デシカントロータが他のデシカントロータとして機能する。
【００１８】
この実施形態では、装置ハウジング２の一端面側（図１において左端面側）に外部吸入部１２、外部排出部１４及び室内排出部１６が設けられている。外部吸入部１２は外部の空気を吸入するもので、この外部吸入部１２を通して外部空気が吸入される。外部排出部１４は、外部に空気を排出するもので、この外部排出部１４通して外部に空気が排出される。室内排出部１６は、後述するようにして冷却された空気を排出するもので、この室内排出部１６には、例えば送給ダクト（図示せず）が接続され、室内排出部１６からの冷却空気が送給ダクトを通して空調対象空間（一つ又は二つ以上の室内空間）に送給される。
【００１９】
また、装置ハウジング２の他端面側（図１において右端面側）に室内吸入部１８が設けられている。室内吸入部１８は、空調対象空間からの室内空気を吸入するためのもので、この室内吸入部１８を通して室内空気が吸入される。尚、この室内吸入部１８には、空調対象空間から延びる吸入ダクト（図示せず）が接続される。
【００２０】
このデシカント空調装置においては、外部吸入部１２から吸入された空気は、外部からの空気を空調対象空間（室内空間）に導くための吸入流路２４を通して室内排出部１６に流れ、また室内吸入部１８から吸入された空気は、空調対象空間からの空気を外部に導くための排出流路２６を通して外部排出部１４に流れる。
【００２１】
この実施形態では、外部吸入部１２から延びる吸入流路２４は、第１デシカントロータ４の吸湿部２８及び第１顕熱交換器６を通って第２デシカントロータ８の吸湿部３０に至り、この第２デシカントロータ８の吸湿部３０及び第２顕熱交換器１０を通り、更に第１デシカントロータ４の再生部３１を通って室内排出部１６に至る。また、室内吸入部１８から延びる排出流路２６は、その中間部が第１中間分岐流路３２及び第２中間分岐流路３４に分岐され、第１中間分岐流路３２は第１顕熱交換器６を通して排出流路２６の下流側部に合流し、また第２中間分岐流路３４は、第２顕熱交換器１０及び第２デシカントロータ８の再生部３６を通して排出流路２６の下流側部に合流し、排出流路２６のこの下流側部を通して外部排出部１４に至る。
【００２２】
第１及び第２デシカントロータ４，８は円板状であり、それらの全体が例えばハニカム状構造に構成されて多数の通気孔が設けられ、これらハニカム状構造の表面に吸湿材が担持（例えば、塗布）されている。第１デシカントロータ４は、吸入流路２４の上流側部（具体的には、外部吸入部１２と第１顕熱交換器６との間に位置する第１吸湿域Ｋ１）とその下流側部（具体的には、第２顕熱交換器１０と室内排出部１６との間に位置する第１再生域Ｓ１）とに跨がって配設される。第１デシカントロータ４における第１吸湿域Ｋ１に位置する部位は、吸湿部２８として機能し、この吸湿部２８において、吸湿材が空気中に含まれる水分を吸湿する。また、第１デシカントロータ４における第１再生域Ｓ１に位置する部位は、再生部３１として機能し、この再生部３１において、吸湿された水分が奪い取られて吸湿材の再生が行われる。
【００２３】
この第１デシカントロータ４には、例えば電動モータから構成される第１駆動源４２が駆動連結され、第１駆動源４２によって第１デシカントロータ４が矢印で示す方向に第１吸湿域Ｋ１及び第１再生域Ｓ１を通して回動され、かく回動されることによって、第１吸着域Ｋ１において空気中の水分の吸着が、また第１再生域Ｓ１において吸着された水分の放出が連続的に行われる。
【００２４】
また、第２デシカントロータ８は、吸入流路２４の中間部（具体的には、第１顕熱交換器６と第２顕熱交換器１０との間に位置する第２吸湿域Ｋ２）と排出流路２６（具体的には、第２中間分岐流路３４における第２顕熱交換器１０の配設部位よりも下流側に位置する第２再生域Ｓ２）とに跨がって配設される。第２デシカントロータ８における第２吸湿域Ｋ２に位置する部位は、吸湿部３０として機能し、この吸湿部３０において、吸湿材が空気中に含まれる水分を吸湿する。また、第２デシカントロータ８における第２再生域Ｓ２に位置する部位は、再生部３６として機能し、この再生部３６において、吸湿された水分が奪い取られて吸湿材の再生が行われる。
【００２５】
この第２デシカントロータ８には、例えば電動モータから構成される第２駆動源４６が駆動連結され、第２駆動源４６によって第２デシカントロータ４が矢印で示す方向に第２吸湿域Ｋ２及び第２再生域Ｓ２を通して回動され、かく回動されることによって、第２吸着域Ｋ２において空気中の水分の吸着が、また第２再生域Ｓ２において吸着された水分の放出が連続的に行われる。
【００２６】
吸入流路２４には、外部空気を吸入するための吸入送風機５０が設けられ、この吸入送風機５０は、第２顕熱交換器１０と第１デシカントローラ４の再生部３１との間の部位に配設されている。また、排出流路２６には、空調対象空間の空気（室内空気）を排出するための排出送風機５２が設けられ、この排出送風機５２は、第１及び第２中間分岐流路３２，３４の合流部よりも下流側の部位に設けられている。尚、この吸入送風機５０については、例えば、吸入流路２４における第１デシカントロータ４の吸湿部２８（換言すると、第１吸湿域Ｋ１）よりも上流側の部位に配設するようにしてもよく、また排出送風機５２については、例えば第１及び第２中間分岐流路３２，３４の分岐部よりも上流側の部位に配設するようにしてもよい。
【００２７】
このデシカント空調装置においては、更に、排出流路２６の第２中間分岐流路３４（具体的には、第２顕熱交換器１０と第２デシカントロータ８の再生部３６との間の部位）に、加熱手段としての温水熱交換器５４が設けられている。この温水熱交換器５４に関連して、温水を生成するための熱源機５６が設けられ、この熱源機５６と温水熱交換器５４とが温水循環流路５８を介して接続され、熱源機５６にて生成された温水は、温水循環流路５８及び温水熱交換器５４を通して循環される。尚、加熱手段として電気的加熱手段（例えば、電気ヒータ）を用いるようにしてもよい。
【００２８】
このデシカント空調装置では、外部空気は吸入流路２４を通して空調対象空間（室内空間）に流れ、また空調対象空間（室内空間）の空気は、排出流路２６を通して外部に流れ、かく流れる間に、吸入流路２４を流れる空気が次のようにして冷却され、生成された冷却空気が空調対象空間に送給される。
【００２９】
外部吸入部１２を通して吸入流路２４に吸入された空気は、第１デシカントロータ４に流れ、第１吸湿部Ｋ１において、第１デシカントロータ４の吸湿部２８を通して流れる間に、空気中の水分が吸湿部２８の吸湿材に吸着されてその温度が上昇する。そして、除湿された高温の空気が第１顕熱交換器６に流れ、この第１顕熱交換器６において、第１中間分岐流路３２を流れる室内空気との間で熱交換が行われ、この熱交換によって吸入流路２４を流れる空気の温度が低下する。その後、温度が低下した除湿空気が第２デシカントロータ８に流れ、第２吸湿域Ｋ２において、第２デシカントロータ８の吸湿部３０を流れる間に、空気中の水分が吸湿部３０の吸湿材に更に吸着され、過剰に吸湿されてその温度が上昇する。
【００３０】
この過剰に除湿された高温の空気は、第２顕熱交換器１０に流れ、この第２顕熱交換器１０において、第２中間分岐流路３４を流れる室内空気との間で熱交換が行われ、この熱交換によって吸入流路２４の空気の温度が低下し、温度低下した空気が第１デシカントロータ４に流れる。第１再生域Ｓ１においては、第１デシカントロータ４の再生部３１を通して流れる間に、過剰に除湿された空気が、この再生部３１の吸湿材に吸着された水分を奪い取り（この水分の奪い取りにより、第１デシカントロータ４の除湿材の再生が行われる）、奪い取った水分によって空気の湿度が上昇する一方、この水分の脱着に伴う気化熱によってこの空気の冷却が行われ、このようにして冷却された空気が室内排出部１６から空調対象空間に送られる。
【００３１】
尚、空調対象空間から第２中央分岐流路３４に送給された室内空気は、上述したように、第２顕熱交換器１０を通して流れる間に、吸入流路２４を流れる空気との間の熱交換によって加温され、この加温された空気は、温水熱交換器５４において、熱源機５６から温水循環ライン５８を通して流れる温水との間の熱交換によって更に加温され、このように加温された空気が第２デシカントロータ８に流れる。第２再生域Ｓ２においては、第２デシカントロータ８の再生部３６を流れる間に、この加温された空気が、第２デシカントロータ８の吸湿材に吸着された水分を奪い取り、これによって、第２デシカントロータ８の除湿材が再生され、この水分を含む空気が、排出流路２６を通して外部に排出される。
【００３２】
このデシカント空調装置では、第２デシカントロータ８（目詰まり検知の対象となるデシカントロータを構成する）の目詰まり状態を検知するために、更に、次の通りに構成されている。図１とともに図２を参照して、この実施形態では、吸入空気の流れ方向に見て吸入流路２４の第２吸湿域Ｋ２の上流側に第１温度検知手段６０が配設され、この第２吸湿域Ｋ２の下流側に第２温度検知手段６２が配設され、吸入流路２４のこの第２吸湿域Ｋ２を含む一部が供給側流路部を構成する。また、室内空気の流れ方向に見て排出流路２６の第２中間分岐流路３４の第２再生域Ｓ２の上流側に第３温度検知手段６４が配設され、排出流路２６のこの第２再生域Ｓ２を含む一部が戻り側流路部を構成する。
【００３３】
第１〜第３温度検知手段６０，６２，６４は、例えば温度センサから構成され、第１温度検知手段６０は、第２デシカントロータ８の吸湿部３０に流入する流入側空気の温度を検知し、第２温度検知手段６２は、その吸湿部３０から流出する流出側空気の温度を検知し、また第３温度検知手段６４は、第２デシカントロータ８の再生部３６に流入する流入側空気の温度を検知する。
【００３４】
第１〜第３温度検知手段６０，６２，６４からの検知信号はコントローラ７２に送給され、コントローラ７２は、これらの検知信号に基づいて第２デシカントロータ８の目詰まり状態を検知する。図示のコントローラ７２は、例えばマイクロプロセッサなどから構成され、制御手段７４、流出側空気温度演算手段７６、判定基準値演算手段７７、目詰まり判定手段７８、注意信号生成手段８０及び警告信号生成手段８２を含んでいる。制御手段７４は、吸入送風機５０、排出送風機５２、第１駆動源４２、第２駆動源４６及び熱源機５６などを所要の通りに制御する。また、流出側空気温度演算手段７６は、第１及び第３温度検知手段６０，６４の検知温度に基づいて流入側空気の温度を演算する。即ち、第２デシカントロータ８の熱交換効率λｔは、λｔ＝（ｔ１−Ｔ０）／（ｔ１−ｔ３）で表すことができ、この式を変形すると、Ｔ０＝λｔ（ｔ３−ｔ１）＋ｔ１となる。ここで、ｔ１は第１温度検知手段６０の検知温度であり、ｔ３は第３温度検知手段６４の検知温度であり、Ｔ０は第２デシカントロータ８の流出側空気の理論温度であり、λｔは第２デシカントロータ８の熱交換効率であって、設計段階で予め判っている固有の値となる。流出側空気温度演算手段７６は、上述した変形式を用いてＴ０（流出側空気の理論温度値）を演算する。そして、判定値演算手段７７は、流出側空気温度演算手段７６により演算された理論温度値（Ｔ０）に基づいて判定基準値、この実施形態では注意信号生成の判定基準となる注意判定基準値（Ｔ１）及び警告信号生成の基準となる警告判定基準値（Ｔ２）を演算する。
【００３５】
更に、目詰まり判定手段７８は、第２温度検知手段６２の検知温度に基づいて後述するようにして目詰まりを判定する。また、注意信号生成手段８０は、後述するように注意信号を生成し、警告信号生成手段８２は、後述するように警告信号を生成する。
【００３６】
このコントローラ７２は、更に、積算タイマ８４及びメモリ手段８６を含んでいる。積算タイマ８４は、デシカント空調装置の積算運転時間を計測し、この積算タイマ８４の積算時間が例えば１００時間達する毎に後述する目詰まりチェックが実行される。また、メモリ手段８６には、目詰まりチェックを実行する積算運転時間（この形態では、１００時間、２００時間、３００時間・・・）が記憶されている。
【００３７】
このコントローラ７２に関連して、目詰まり状態の注意を促すための注意表示手段８８及び目詰まり状態の警告を知らせるための警告表示手段９０が設けられている。注意表示手段８８は、例えば黄色に発光するＬＥＤランプ（図示せず）などから構成することができ、また警告表示手段９０は、例えば赤色に発光するＬＥＤランプ（図示せず）などから構成することができる。尚、注意表示手段８８及び警告表示手段９０を一つのＬＥＤランプなどから構成し、注意を促すときには、このＬＥＤランプを点滅させ、警告を知らせるときには、このＬＥＤランプを点灯させるようにしてもよい。
【００３８】
次に、この目詰まり検知装置を用いた目詰まり検知の流れについて説明する。主として図２及び図３を参照して、デシカント空調装置の電源スイッチ（図示せず）をオン（閉）操作すると、ステップＳ１からステップＳ２に進み、デシカント空調装置が作動して冷房運転が行われ、上述したようにして冷却空気が生成される。また、積算タイマ８４が作動して稼働時間の積算が行われる（ステップＳ３）。そして、この積算タイマ８４の積算時間が目詰まりチェックの時間に達する（例えば、この空調装置の使用開始から１００時間、２００時間、３００時間・・・に達する）と、ステップＳ４を経てステップＳ５に進み、第２デシカントロータ８の目詰まり判定が実行される。
【００３９】
この目詰まり状態のチェックにおいては、第１温度検知手段６０が第２デシカントロータ８の吸湿部３０の流入側空気の温度（ｔ１）を検知し、第２温度検知手段６２がその吸湿部３０の流出側空気の温度（ｔ２）を検知し、また第３温度検知手段６４が第２デシカントロータ８の再生部３６の流入側空気の温度（ｔ３）を検知し（ステップＳ６）、流出側空気温度演算手段７６は、第１及び第３温度検知手段６０，６４の検知温度（ｔ１，ｔ３）並びに第２デシカントロータ８の熱交換効率（λｔ）に基づいて、第２デシカントロータ８の吸湿部３０の流出側空気の理論温度値（Ｔ０）を演算し（ステップＳ７）、更に判定基準値演算手段７７は、この理論温度値（Ｔ０）に基づいて注意判定基準値（Ｔ１）及び警告判定基準値（Ｔ２）を演算する（ステップＳ８）。この実施形態では、判定基準値演算手段７７は、例えば、理論温度値（Ｔ０）よりも２℃低い温度を注意判定基準値（Ｔ１）として演算し、この理論温度値（Ｔ０）よりも４℃低い温度を警告判定温度値（Ｔ２）として演算する。
【００４０】
そして、目詰まり判定手段７８は、注意判定基準値（Ｔ１）及び警告判定基準値（Ｔ２）と第２温度検知手段６２の検知温度（ｔ２）とを対比して第２デシカントロータ８の目詰まり状態を判定する（ステップＳ９）。第２温度検知手段６２の検知温度（ｔ２）が注意判定基準値（Ｔ１）以下である（ｔ２≦Ｔ１）か、またこの検知温度（ｔ２）が警告判定基準値（Ｔ２）以下である（ｔ２≦ｔ２）かの判定が行われる。上記検知温度（ｔ２）が注意判定基準値（Ｔ１）を超えている（ｔ２＞Ｔ１）場合、第２デシカントロータ８の吸湿部３０にて充分な吸湿が行われてその流出側空気の温度が理論温度値（ｔ０）に近い値まで上昇しているということであり、このような場合には、ステップＳ９からステップＳ１０を経てステップＳ１１に進み、目詰まり判定手段７８は、第２デシカントロータ８に目詰まりが発生していないとして「目詰まりなし」の判定を行い（ステップＳ１１）、ステップＳ３に戻る。
【００４１】
また、第２温度検知手段６２の検知温度（ｔ２）が警告判定基準値（Ｔ２）よりも大きく（ｔ２＞Ｔ２）且つ注意判定基準値（Ｔ１）以下である（ｔ２≦Ｔ１）場合、第２デシカントロータ４における吸湿が塵、埃などの付着によりある程度低下していてその流出側空気の温度上昇が理論温度値（Ｔ０）近くまで達していないということであり、このような場合、ステップＳ９からステップＳ１０及びステップＳ１２を経てステップＳ１３に移り、目詰まり判定手段７８は、第２デシカントロータ８にある程度目詰まりが発生しているとして「目詰まり注意」の判定を行う。かくすると、注意信号生成手段８０は、この「目詰まり注意」の判定に基づいて注意信号を生成し（ステップＳ１３）、この注意信号に基づいて注意表示手段８８が作動し（ステップ１５）、この注意表示手段８８によって、目詰まり状態がある程度進んでいることを使用者に知らせる。
【００４２】
更に、第２温度検知手段６２の検知温度（ｔ２）が警告判定基準値（Ｔ２）以下である（ｔ２≦Ｔ２）場合、第２デシカントロータ８の吸湿量が塵、埃などの付着により大きく下がってその流出側空気の温度が理論温度値（Ｔ０）より大きく低下しているということであり、このような場合、ステップＳ９からステップＳ１０及びステップＳ１２を経てステップＳ１６に移り、目詰まり判定手段７８は、第２デシカントロータ８に目詰まりが発生しているとして「目詰まり警告」の判定を行う。かくすると、警告信号生成手段は８２は、この「目詰まり警告」の判定に基づいて警告信号を生成し（ステップＳ１７）、この警告信号に基づいて警告表示手段９０が作動し（ステップ１８）、この警告表示手段９０によって、目詰まり状態が大きく進んでいることを使用者に知らせる。
【００４３】
このように目詰まりが発生すると、デシカント空調装置の作動を停止させ、第２デシカントロータ８をクリーニングして塵、埃などを除去する。尚、このようなクリーニングは、作業者が行うようにしてもよく、或いは自動的にクリーニングするように構成することもできる。
【００４４】
尚、冷房運転中に運転スイッチ（図示せず）をオフ（開）操作すると、ステップＳ１９からステップＳ２０に進み、デシカント空調装置の運転が終了する。
【００４５】
以上、本発明に従うデシカントロータの目詰まり検知装置の一実施形態について説明したが、本発明はかかる実施形態に限定されるものではなく、本発明の範囲を逸脱することなく種々の修正乃至変更が可能である。
【符号の説明】
【００４６】
４，８  デシカントロータ
６，１０  顕熱交換器
２４  吸入流路
２６  排出流路
２８，３０  吸湿部
３１，３６  再生部
６０  第１温度検知手段
６２  第２温度検知手段
６４  第３温度検知手段
７２  コントローラ
７６  流出側空気温度演算手段
７７  判定値演算手段
７８  目詰まり判定手段
Ｋ１，Ｋ２  吸湿域
Ｓ１，Ｓ２  再生域
【図１】
2015068529.tif 000003
【図２】
2015068529.tif 000004
【図３】
2015068529.tif 000005